(57)【要約】    【課題】  ユーザの操作性を向上させることができる再生装置を提供する。    【解決手段】  再生装置としてのＤＶＣ１００は、早送り、巻戻しなどの特殊再生を行うための特殊再生機能を有し、磁気記録テープ１０６に記録されている映像データを一時的に保持するメモリ１０２と、画像を表示する表示部１０５とを備える。特殊再生処理の実行中においてアドレスカウンタが「ｎ」である時に再生ボタンが押下されると、アドレスカウンタが「ｎ−５」〜「ｎ」の範囲にある全ての特殊再生用画像データに対応する画像を表示し、アドレスカウンタ「ｎ−４」に対応する画像が再生を開始させたい再生開始画像として選択されたときは、その再生開始画像のテープ開始位置ＥＴＮから動画像の再生を開始する。【選択図】      図６
2006339995.tif 000002
【特許請求の範囲】
【請求項１】
通常再生用の第１の動画像データと、前記第１の動画像データの一部の画面にそれぞれ対応した複数の特殊再生用画像データ及び当該特殊再生用画像データの各画面に対応するトラック位置データから構成される第２の画像データとを、テープ状記録媒体上に形成された多数のトラックより再生する再生手段と、
前記テープ状記録媒体から前記第２の画像データを高速で再生する特殊再生モードにおいて、前記第２の画像データ中の前記複数の特殊再生用画像データ及び前記トラック位置データを対応づけてメモリに格納する格納手段と、
前記特殊再生モードから、前記テープ状記録媒体から前記第１の動画像データを通常の速度で再生する通常再生モードへの移行指示に応じて、前記メモリに格納された前記複数の特殊再生用画像データの画面に対応した画像を表示装置に表示する表示手段と、
前記表示装置に表示された複数の画面に対応した画像のうち、任意の画像を選択する選択手段と、
前記選択手段により選択された画像に対応したトラック位置データを前記メモリより読み出し、前記読み出したトラック位置データに対応したトラックより前記テープ状記録媒体から前記第１の動画像データの再生を開始するように前記再生手段を制御する制御手段とを備えることを特徴とする再生装置。
【請求項２】
前記第２の画像データは、更に、前記特殊再生用画像データの各画面に対応する時間情報を含み、前記格納手段は、更に、前記複数の特殊再生用画像データと前記時間情報とを対応づけて前記メモリに格納し、前記表示手段は、前記複数の特殊再生用画像データに対応した画像と前記時間情報とを表示することを特徴とする請求項１記載の再生装置。
【請求項３】
前記表示装置に表示すべき画像の数を制限する制限手段を備えることを特徴とする請求項１記載の再生装置。
【請求項４】
前記制限手段による制限によって前記表示装置に表示されていない画像の表示要求を発行する表示要求発行手段を備えることを特徴とする請求項３記載の再生装置。
【請求項５】
通常再生用の第１の動画像データと、前記第１の動画像データの一部の画面にそれぞれ対応した複数の特殊再生用画像データ及び当該特殊再生用画像データの各画面に対応するトラック位置データから構成される第２の画像データとを、テープ状記録媒体上に形成された多数のトラックより再生する再生ステップと、
前記テープ状記録媒体から前記第２の画像データを高速で再生する特殊再生モードにおいて、前記第２の画像データ中の前記複数の特殊再生用画像データ及び前記トラック位置データを対応づけてメモリに格納する格納ステップと、
前記特殊再生モードから、前記テープ状記録媒体から前記第１の動画像データを通常の速度で再生する通常再生モードへの移行指示に応じて、前記メモリに格納された前記複数の特殊再生用画像データの画面に対応した画像を表示装置に表示する表示ステップと、
前記表示装置に表示された複数の画面に対応した画像のうち、任意の画像を選択する選択ステップと、
前記選択ステップにおいて選択された画像に対応したトラック位置データを前記メモリより読み出し、前記読み出したトラック位置データに対応したトラックより前記テープ状記録媒体から前記第１の動画像データの再生を開始するように前記再生ステップにおける再生を制御する制御ステップとを有することを特徴とする再生方法。
【請求項６】
前記第２の画像データは、更に、前記特殊再生用画像データの各画面に対応する時間情報を含み、前記格納ステップでは、更に、前記複数の特殊再生用画像データと前記時間情報とを対応づけて前記メモリに格納し、前記表示ステップでは、前記複数の特殊再生用画像データに対応した画像と前記時間情報とを表示することを特徴とする請求項５記載の再生方法。
【請求項７】
前記表示装置に表示すべき画像の数を制限する制限ステップを有することを特徴とする請求項５記載の再生方法。
【請求項８】
前記制限ステップにおける制限によって前記表示装置に表示されていない画像の表示要求を発行する表示要求発行ステップを有することを特徴とする請求項７記載の再生方法。
【請求項９】
通常再生用の第１の動画像データと、前記第１の動画像データの一部の画面にそれぞれ対応した複数の特殊再生用画像データ及び当該特殊再生用画像データの各画面に対応するトラック位置データから構成される第２の画像データとを、テープ状記録媒体上に形成された多数のトラックより再生する再生モジュールと、
前記テープ状記録媒体から前記第２の画像データを高速で再生する特殊再生モードにおいて、前記第２の画像データ中の前記複数の特殊再生用画像データ及び前記トラック位置データを対応づけてメモリに格納する格納モジュールと、
前記特殊再生モードから、前記テープ状記録媒体から前記第１の動画像データを通常の速度で再生する通常再生モードへの移行指示に応じて、前記メモリに格納された前記複数の特殊再生用画像データの画面に対応した画像を表示装置に表示する表示モジュールと、
前記表示装置に表示された複数の画面に対応した画像のうち、任意の画像を選択する選択モジュールと、
前記選択モジュールにより選択された画像に対応したトラック位置データを前記メモリより読み出し、前記読み出したトラック位置データに対応したトラックより前記テープ状記録媒体から前記第１の動画像データの再生を開始するように前記再生モジュールを制御する制御モジュールとを備えることを特徴とする再生プログラム。
【請求項１０】
請求項９記載の再生プログラムを格納することを特徴とするコンピュータ読み取り可能な記憶媒体。
【発明の詳細な説明】
【技術分野】
【０００１】
本発明は、再生装置、再生方法、再生プログラム、及び記憶媒体に関し、特に、早送り、巻戻しなどの特殊再生機能を有する再生装置、再生方法、再生プログラム、及び記憶媒体に関する。
【背景技術】
【０００２】
ＤＶＣ（ディジタルビデオカメラ）などの再生装置は、所定の映像記録方式で画像データが記録された記憶媒体から、画像データを順次読み込み、該読み込んだ画像データをデコードし、デコードした画像データを再生画像（映像）として出力する。上記映像記録方式には、ディジタルデータとしてのＭＰＥＧ２データを記録するＤ−ＶＨＳなどがある。また、このような再生装置の多くは、再生画像の出力開始位置を所望の画像の位置まで移動させるための早送り、巻戻しなどの特殊再生を行うための特殊再生機能を有する。
【０００３】
特殊再生機能を有する再生装置としては、所望の画像の選択を確実且つ迅速に行うために、早送り中にサムネイルなどの簡易画像を順次表示するディジタルカメラなどのカメラ装置が提案されている（例えば、特許文献１参照。）。このカメラ装置においては、ユーザは、簡易画像が順次表示されている間において所望の画像を見つけた時に、例えば、通常の速度で再生を開始するための再生ボタンを押下することにより早送りを中止する。これにより、早送りが中止されたときに表示されていた簡易画像に対応する原画像が再生される。
【特許文献１】特開平１１−１４６３２６号公報
【発明の開示】
【発明が解決しようとする課題】
【０００４】
しかしながら、上述したような特殊再生機能を有する再生装置では、８倍速や２４倍速などの高速で上記簡易画像の順次表示を含む特殊再生（例えば早送り）している間において所望の画像が表示された時に、ユーザが再生ボタンを押下しても、すでに所望の再生開始位置を過ぎていることが多い。このような場合、ユーザは、所望の画像の位置まで特殊再生（例えば巻戻し）を行う必要があるので、ユーザの操作性を損ねていた。
【０００５】
本発明の目的は、ユーザの操作性を向上させることができる再生装置、再生方法、再生プログラム、及び記憶媒体を提供することにある。
【課題を解決するための手段】
【０００６】
上記目的を達成するために、本発明の再生装置は、通常再生用の第１の動画像データと、前記第１の動画像データの一部の画面にそれぞれ対応した複数の特殊再生用画像データ及び当該特殊再生用画像データの各画面に対応するトラック位置データから構成される第２の画像データとを、テープ状記録媒体上に形成された多数のトラックより再生する再生手段と、前記テープ状記録媒体を高速に搬送し、前記第２の画像データを再生する特殊再生モードにおいて、前記第２の画像データ中の前記複数の特殊再生用画像データ及び前記トラック位置データを対応づけてメモリに格納する格納手段と、前記特殊再生モードから通常再生モードへの移行指示に応じて、前記メモリに格納された前記複数の特殊再生用画像データの画面に対応した画像を表示装置に表示する表示手段と、前記表示装置に表示された複数の画面に対応した画像のうち、任意の画像を選択する選択手段と、前記選択手段により選択された画像に対応したトラック位置データを前記メモリより読み出し、前記読み出したトラック位置データに対応したトラックより前記テープ状記録媒体から前記第１の動画像データの再生を開始するように前記再生手段を制御する制御手段とを備えることを特徴とする。
【０００７】
上記目的を達成するために、本発明の再生方法は、通常再生用の第１の動画像データと、前記第１の動画像データの一部の画面にそれぞれ対応した複数の特殊再生用画像データ及び当該特殊再生用画像データの各画面に対応するトラック位置データから構成される第２の画像データとを、テープ状記録媒体上に形成された多数のトラックより再生する再生ステップと、前記テープ状記録媒体を高速に搬送し、前記第２の画像データを再生する特殊再生モードにおいて、前記第２の画像データ中の前記複数の特殊再生用画像データ及び前記トラック位置データを対応づけてメモリに格納する格納ステップと、前記特殊再生モードから通常再生モードへの移行指示に応じて、前記メモリに格納された前記複数の特殊再生用画像データの画面に対応した画像を表示装置に表示する表示ステップと、前記表示装置に表示された複数の画面に対応した画像のうち、任意の画像を選択する選択ステップと、前記選択ステップにおいて選択された画像に対応したトラック位置データを前記メモリより読み出し、前記読み出したトラック位置データに対応したトラックより前記テープ状記録媒体から前記第１の動画像データの再生を開始するように前記再生ステップにおける再生を制御する制御ステップとを有することを特徴とする。
【０００８】
上記目的を達成するために、本発明の再生プログラムは、通常再生用の第１の動画像データと、前記第１の動画像データの一部の画面にそれぞれ対応した複数の特殊再生用画像データ及び当該特殊再生用画像データの各画面に対応するトラック位置データから構成される第２の画像データとを、テープ状記録媒体上に形成された多数のトラックより再生する再生モジュールと、前記テープ状記録媒体を高速に搬送し、前記第２の画像データを再生する特殊再生モードにおいて、前記第２の画像データ中の前記複数の特殊再生用画像データ及び前記トラック位置データを対応づけてメモリに格納する格納モジュールと、前記特殊再生モードから通常再生モードへの移行指示に応じて、前記メモリに格納された前記複数の特殊再生用画像データの画面に対応した画像を表示装置に表示する表示モジュールと、前記表示装置に表示された複数の画面に対応した画像のうち、任意の画像を選択する選択モジュールと、前記選択モジュールにより選択された画像に対応したトラック位置データを前記メモリより読み出し、前記読み出したトラック位置データに対応したトラックより前記テープ状記録媒体から前記第１の動画像データの再生を開始するように前記再生モジュールを制御する制御モジュールとを備えることを特徴とする。
【０００９】
上記目的を達成するために、本発明の記憶媒体は、上記プログラムを格納することを特徴とする。
【発明の効果】
【００１０】
本発明によれば、表示装置に表示された複数の特殊再生用画像データの画面に対応した画像のうち任意の画像が選択されると、選択された画像に対応したトラック位置データをメモリより読み出し、該読み出したトラック位置データに対応したトラックよりテープ状記録媒体から通常再生用の第１の動画像データの再生を開始することができ、もって、ユーザの操作性を向上させることができる。
【発明を実施するための最良の形態】
【００１１】
以下、本発明の実施の形態を図面を参照しながら詳細に説明する。
【００１２】
図１は、本発明の実施の形態に係る再生装置の構成を概略的に示すブロック図である。
【００１３】
本実施の形態に係る再生装置としてのディジタルビデオカメラ（ＤＶＣ）１００は、被写体の動画像を撮影する撮影機能と、再生画像の出力開始位置を所望の画像の位置まで移動させるための早送り、巻戻しなどの特殊再生を行うための特殊再生機能とを有し、この特殊再生機能を利用することによって、ユーザは所望の画像をサーチする。
【００１４】
図１において、ＤＶＣ１００は、ＭＰＥＧデータの符号化及び復号化を行うためコーダ−デコーダ（coder-decoder）であるＭＰＥＧコーデック（ＣＯＤＥＣ）１０１と、映像データを一時的に保持するメモリ１０２と、ユーザとのインタフェースとなる操作部１０３と、ＤＶＣ１００全体を制御するＣＰＵ１０４と、画像を表示するための表示画面を有するＬＣＤなどで構成された表示部１０５と、ＤＶＣ１００に対して脱着自在な磁気記録テープ１０６と、これらを接続するバス１１０とを備える。
【００１５】
ＭＰＥＧコーデック１０１は、ＭＰＥＧ方式にて圧縮されている映像データをメモリ１０２から読み出してデコードする。操作部１０３には、通常の再生速度で再生を行うための再生ボタンと、通常の再生速度の、例えば８倍又は２４倍の再生速度で上記特殊再生を行うための特殊再生ボタンとして早送りボタン及び巻戻しボタンとが設けられている。磁気記録テープ１０６には、図２に示すような映像データが再生可能に所定の記録フォーマットで記録されている。この映像データには、図２及び図３を用いて後述するように、通常の再生速度で動画像を再生するための、ＭＰＥＧコーデック１０１により符号化された通常再生用映像データとしての主映像データ（第１の動画像データ）と、通常の再生速度よりも高い再生速度で動画像を再生するための、非圧縮形式の特殊再生用画像データ（第２の画像データ）とがある。
【００１６】
図２は、図１における磁気記録テープ１０６に記録されている映像データのデータ構成を示す図である。
【００１７】
図２において、磁気記録テープ１０６に記録されている映像データ２００は、動画像信号が記録フォーマットの一例であるＨＤＶフォーマットで記録されたものである。
【００１８】
ＨＤＶフォーマットにより、撮影した被写体の動画像に対応する動画像信号はＭＰＥＧ２方式で符号化される。ＭＰＥＧ２方式では、フレーム内符号化、前方予測符号化、及び双方向予測符号化方式を組み合わせて動画像信号を符号化する。また、ＭＰＥＧ２符号化では、１フレームのフレーム内符号化画面（イントラピクチャ（intra coded picture：以下、「Ｉピクチャ」又は「Ｉフレーム」という））と、所定数の前方予測符号化画面（Ｐピクチャ）及び双方向予測符号化画面（Ｂピクチャ）とからなるＧＯＰ（group of pictures）を単位として符号化を行う。Ｉピクチャは、同一フレーム内の画像データのみを用いて符号化されるフレームである。従って、再生時に、このＩピクチャのみを再生することにより、ランダムアクセス機能が実現できる。各Ｉピクチャの符号化時には、輝度信号、色差信号Ｃｂ、及び色差信号Ｃｒの３つの信号から１つのマクロブロックが生成される。
【００１９】
また、本実施の形態では、図２に示すように、所定数のトラックを単位としてエラー訂正符号化処理を施してＭＰＥＧ符号化された画像データを磁気記録テープ１０６に記録している。このエラー訂正符号化の単位をＥＣＣユニットという。図２に示した映像データ２００は、複数の、例えば９つのＥＣＣユニット２１０から成り、各ＥＣＣユニット２１０は、主映像データ２２０ａが記録されている主映像データエリアと、特殊再生用画像データ２２０ｂが記録されている特殊再生用画像データエリア（図２に示す斜線部分）とを含む。したがって、特殊再生用画像データエリアは、映像データ２００の全エリアにおいて分散されて配置されている。また、ＥＣＣユニット２１０には、磁気記録テープ１０６に記録された順序を示すサーチユニット番号「０」〜「８」のいずれかが付与されており、このサーチユニット番号により、特殊再生機能による磁気記録テープ１０６上のサーチエリアを特定することができる。
【００２０】
また、各ＥＣＣユニット２１０は、１６本のトラック２２０で構成されている。なお、トラック２２０における主映像データエリア及び特殊再生用画像データエリアの配置は、上記ＨＤＶフォーマットによって規定されており、１６本のトラック２２０のうち、３本のトラック２２０は１つの特殊再生用画像データエリアを含み、１３本のトラック２２０は特殊再生用画像データエリアを含まない。例えば、特殊再生用画像データエリアは図２に示すような斜線部分のように複数のＥＣＣユニット２１０にまたがって配置されている。
【００２１】
図３は、図２における主映像データ２２０ａと特殊再生用画像データ２２０ｂとを説明するためのテーブルである。
【００２２】
主映像データ２２０ａは、撮影された被写体の動画像が圧縮されたデータであり、具体的には、図３に示すように、画面サイズが１４４０×１０８０ピクセルのデータをＭＰＥＧ２方式によって圧縮したＭＰＥＧ２形式のデータから成り、後述する通常動画再生処理において再生される。また、ＤＶＣ１００が１秒間に発生するデータのビット数を表すビットレートは２５Ｍｂｐｓである。
【００２３】
特殊再生用画像データ２２０ｂは、主映像データ２２０ａを縮小した非圧縮形式のデータである。具体的には、特殊再生用画像データ２２０ｂは、主映像データ２２０ａ中のＩピクチャをＤＣＴ（discrete cosine transform：離散コサイン変換）によって８×８画素の周波数成分に変換したＤＣＴブロックから抽出された輝度信号のＤＣ成分を６ビットのデータに変換することによって得られたマクロブロックと、上記８×８画素のＤＣＴブロックから抽出された色差信号Ｃｂ，ＣｒのＤＣ成分の各々を５ビットのデータに変換することによって得られたマクロブロックとから構成されている（図２参照）。
【００２４】
より具体的には、図３に示すように、特殊再生用画像データ２２０ｂは、Ｉフレームの画面サイズが１４４０×１０８０ピクセルのデータを所定の方式によって１８０×１３５ピクセルに圧縮したデータから成る。特殊再生用画像データ２２０ｂのビットレートは５６９ｋｂｐｓである。特殊再生用画像データ２２０ｂは、パルス符号変調（ＰＣＭ：pulse code modulation）方式によってアナログ信号（動画像信号）がディジタル信号に変換されただけの非圧縮の生データ（raw data）であり、即ち、主映像データ２２０ａに対応する動画像の少なくとも一部に対応する画像の生データである。したがって、特殊再生用画像データ２２０ｂは、主映像データ２２０ａよりもデータサイズが小さくビットレートが低いので、ＣＰＵ１０４がこれを表示させるために必要な処理の負担を軽減させることができる。
【００２５】
また、特殊再生用画像データ２２０ｂは、主映像データ２２０ａの磁気記録テープ１０６上の位置情報（以下、「テープ位置情報ＥＴＮ（extended track number）」という）及び主映像データ２２０ａの再生時間に関する情報（以下、「再生時間情報ＴＴＣ（title time code）」という）によって主映像データ２２０ａに関連付けられている。
【００２６】
以下、図１のＤＶＣ１００の動作を説明する。
【００２７】
ＤＶＣ１００は、主映像データ２２０ａを通常の速度で再生するための通常動画再生処理と、特殊再生用画像データ２２０ｂを再生するための後述する図４の特殊再生処理と、図４の特殊再生処理の実行中において通常動画再生処理に移行するための後述する図６の特殊再生処理とを実行することが可能である。
【００２８】
通常動画再生処理では、まず、ＣＰＵ１０４は、磁気記録テープ１０６から主映像データ２２０ａを読み込みメモリ１０２に書き込む。続いて、ＭＰＥＧコーデック１０１は、メモリ１０２から主映像データ２２０ａを順次読み込んでデコードすることにより、主映像データ２２０ａに対応する動画像、即ち通常再生動画（Movie）を生成する。
【００２９】
図４は、図１のＤＶＣ１００によって実行される特殊再生処理のフローチャートである。
【００３０】
図４において、まず、ステップＳ７０１では、ユーザが操作部１０３の特殊再生ボタンのうち、早送りボタン及び巻戻しボタンのいずれか一方を押下すると（ステップＳ７０１）、ＣＰＵ１０４は、取得済みの特殊再生用画像データのメモリ１０２における格納位置を示すアドレスカウンタｎを０で初期化する（ステップＳ７０２）。
【００３１】
続くステップＳ７０３では、ＣＰＵ１０４は、図５の矢印Ａに示すように、磁気記録テープ１０６から、１画面の特殊再生用画像データを読み出すと、該特殊再生用画像データ２２０ｂに関連付けられた主映像データ２２０ａのテープ位置情報ＥＴＮ及び再生時間情報ＴＴＣを読み出し、次いで、これらの読み出した３種類のデータを対応づけてメモリ１０２に保持する（ステップＳ７０４）。
【００３２】
なお、本実施の形態において、メモリ１０２は、Ｎ画面分の特殊再生用画像データを格納可能である。また、再生された特殊再生用画像データはそれぞれ、メモリ１０２におけるアドレスカウンタｎに対応する記録領域に格納される。
【００３３】
その後、ＣＰＵ１０４は、アドレスカウンタｎをインクリメントする（ｎ＝ｎ＋１）（ステップＳ７０５）。
【００３４】
続くステップＳ７０６では、ＣＰＵ１０４は、ステップＳ７０５でインクリメントされたアドレスカウンタｎが、メモリ１０２の、特殊再生用画像データの格納上限枚数Ｎ（閾値Ｎ）を越えたか否かを判別する。
【００３５】
越えないときは（ステップＳ７０６でＮＯ）、ステップＳ７０３に戻る。
【００３６】
一方、越えた場合は（ステップＳ７０６でＹＥＳ）、ステップＳ７０２に戻ってアドレスカウンタｎをクリアし、アドレスカウンタを０として、再生された特殊再生用画像データをメモリ１０２に格納する。このように、特殊再生時において、Ｎ画面を超える特殊再生用画像データが再生された場合、メモリ１０２におけるアドレスカウンタｎに対応した記録領域に対して順次再生上書きすることで、現在のテープ位置の直前のＮ画面分の特殊再生用画像データ及び、これらの特殊再生用画像データに対応する通常再生用画像データの記録位置（トラック番号）の情報がメモリ１０２に格納される。
【００３７】
なお、上記ステップＳ７０４において、メモリ１０２は、データを保持するためのバッファとして機能している。該バッファとしては、例えば先頭と末尾が接続されたリングバッファを利用することが好ましい。リングバッファでは、末尾のデータが参照された後には先頭のデータが参照されるので、非同期で実行される映像データ２００の書き込み及び読み出しを効率的に行うことができる。
【００３８】
次に、このようにＮ画面分の特殊再生用画像データがメモリ１０２に格納された状態で、特殊再生動作から通常再生に移行する際の処理について説明する。
【００３９】
図６は、図１のＤＶＣ１００によって実行される通常再生移行処理のフローチャートである。
【００４０】
図６において、まず、ステップＳ８００では、上述した図４の特殊再生処理が実行されている状態で、例えば、アドレスカウンタがｎである時に（図７（ａ））ユーザが再生ボタンを押下すると（ステップＳ８０１）、ＭＰＥＧコーデック１０１は、メモリ１０２に格納されているＮ画面分の特殊再生用画像データのうち、例えばアドレスカウンタが「ｎ−５」〜「ｎ」の記録領域に格納されている６画面分の特殊再生用画像データ２２０ｂ、並びにそれらのテープ位置情報ＥＴＮ及び再生時間情報ＴＴＣを読み出す（ステップＳ８０２，図８参照）。次に、ＣＰＵ１０４は、アドレスカウンタ「ｎ−５」〜「ｎ」に対応する６画面分の特殊再生用画像データ２２０ｂの読み出しを完了したか否かを判別する（ステップＳ８０３）。そして、読み出しが完了すると、各特殊再生用画像データ２２０ｂのテープ位置情報ＥＴＮを不図示のＲＡＭなどの一時記憶メモリに保持すると共に（ステップＳ８０４）、図７（ｂ）に示すように、読み出した特殊再生用画像データ２２０ｂに対応する静止画像とそれらの再生時間情報ＴＴＣを表示部１０５に一覧表示する（ステップＳ８０５）。
【００４１】
なお、図７（ｂ）において、アドレスカウンタｎに対応する画像は、表示部１０５の表示画面の右下部に表示されているが、例えば左上部であってもよい。
【００４２】
図７（ｂ）の表示画面においては、ユーザは、操作部１０３を用いて、一覧表示されている特殊再生用データ２２０ｂに対応する画像の中から通常動画再生処理を開始させたい画像（以下、「再生開始画像」という）を選択することができる。また、図７（ｂ）の表示画面に一覧表示されている画像の中に再生開始画像がないときは、ユーザは、一覧表示されている画像に対応する特殊再生用画像データ２２０ｂのアドレスカウンタ（アドレス）とは異なるアドレスカウンタの特殊再生用画像データ２２０ｂに対応する静止画像、即ち一覧表示されていない静止画像の表示要求を発行する。ここでは、例えば、ユーザにより、アドレスカウンタ「ｎ−６」に対応する静止画像の表示要求が発行される。
【００４３】
このとき、ＣＰＵ１０４は、上記再生開始画像の選択が完了したか否かを判別する（ステップＳ８０６ａ）と共に、上記表示要求があるか否かを判別する（ステップＳ８０６ｂ）。
【００４４】
上記再生開始画像の選択が完了し、上記表示要求がないときは（ステップＳ８０６ａでＹＥＳ且つステップＳ８０６ｂでＮＯ）、ＣＰＵ１０４は、通常再生に移行する（ステップＳ８０７）。通常動画再生処理を実行するために、まず、磁気記録テープ１０６の再生開始位置を、選択された特殊再生用画像に対応する通常再生用映像データのテープ位置ＥＴＮまで磁気記録テープ１０６を移動させ、該移動が完了した後、磁気記録テープ１０６から主映像データ２２０ａを読み込んでメモリ１０２に書き込む。続いて、ＭＰＥＧコーデック１０１は主映像データ２２０ａのテープ位置情報ＥＴＮ以降の主画像データ２２０ａを順次読み込んでデコードし、通常再生画像（Movie）を生成する。これにより、表示部１０５では、再生開始画像のテープ開始位置ＥＴＮから動画像（Movie）の再生が開始される（図７（ｃ））。
【００４５】
なお、上記再生開始画像の選択が完了し、上記表示要求があるときは（ステップＳ８０６ａでＹＥＳ且つＳ８０６ｂでＹＥＳ）、該表示要求された静止画像のアドレスカウンタ「ｎ−６」をアドレスカウンタｎの値として代入して（ｎ＝ｎ−６）、ステップＳ８０２に戻り、ステップＳ８０２〜Ｓ８０６ｂの処理を実行することにより、図７（ｂ）の表示画面に一覧表示されていた静止画像及びそれらの再生時間情報ＴＴＣを、該表示要求に応じた静止画像及びそれらの再生時間情報ＴＴＣに更新する。
【００４６】
図６の処理によれば、上記アドレスカウンタが「ｎ」である時に（図７（ａ））再生ボタンが押下されると（ステップＳ８０１）、アドレスカウンタが「ｎ−５」〜「ｎ」の範囲にある全ての特殊再生用画像データ２２０ｂに対応する画像が一覧表示され（ステップＳ８０５，図７（ｂ））、例えば、アドレスカウンタ「ｎ−４」に対応する画像が再生開始画像として選択されたときは（ステップＳ８０６ａでＹＥＳ）、その再生開始画像のテープ開始位置ＥＴＮから動画像（Movie）の再生が開始される（ステップＳ８０７）ので、ユーザは、すでに所望の再生開始位置を過ぎている場合であっても、さらなる特殊再生を行う必要をなくすことができ、もってユーザの操作性を向上させることができる。具体的には、早送りし過ぎた場合に巻戻しを行う必要を実質的になくすことができる。
【００４７】
また、上記ステップＳ８０５において表示される画像は、非圧縮の特殊再生用画像データ２２０ｂに対応するので、メモリ１０２やＲＡＭなどの一時記憶メモリの容量の使用量を低減させることができると共に、デコード処理をなくすことができるので、ＣＰＵ１０４にかかる負荷を大幅に低減させることができる。
【００４８】
上記ステップＳ８０５では、図７（ｂ）の表示画面に一覧表示される静止画像に対応する特殊再生用画像データ２２０ｂのアドレスカウンタの範囲を「ｎ−５」〜「ｎ」に規制したが、この規制される範囲は、これに限られることはなく、表示部１０５の表示画面の大きさに応じて設定されることが好ましい。また、ユーザがこの数の設定値を変更可能に構成されてもよい。
【００４９】
なお、上記ステップＳ８０６ｂの表示要求では、ユーザが表示させたい画像のアドレスを指定してもよいし、ステップＳ８０４で保持したアドレスの次のアドレス又は前のアドレスが自動的に指定されるように構成されていてもよい。
【００５０】
また、上記実施の形態において、アドレスカウンタｎ（アドレス）は、磁気記録テープ１０６における特殊再生用画像データ２２０ｂのアドレスを特定することが可能な数値であればいかなる数値であってもよく、サーチユニット番号であってもよい。
【００５１】
上記実施の形態に係る再生装置は、ＤＶＣ１００としたが、これに限られることはなく、磁気記録テープ１０６上に順次記録された映像データに対応する静止画像を順次表示可能、又は、動画像を順次再生可能な再生装置であればいかなるものであってもよい。
【００５２】
また、上記実施の形態では、図２の映像データ２００が記録されているものは、磁気記録テープ１０６であるとしたが、映像データ２００が順次記録可能な記憶媒体であればいかなるものであってもよい。また、映像データ２００としての主映像データ２２０ａ及び特殊再生用画像データ２２０ｂに対応する画像は、動画像であっても静止画像であってもよい。なお、特殊再生用画像データ２２０ｂは静止画像であることが好ましく、これにより、ＣＰＵ１０４にかかる負担を軽減させることができる。
【００５３】
また、前述の実施の形態では、特殊再生時において、１画面の特殊再生用画像データが再生される度にメモリ１０２に格納していたが、これに限らず、１画面おき、あるいは、ｍ画面おきにメモリ１０２に格納するようにしてもよい。このようにすることで、所定のメモリ容量に対して、広い範囲の特殊再生用画像データをメモリ１０２に格納しておくことが可能となる。
【００５４】
また、本発明の目的は、上述した実施の形態の機能を実現するソフトウェアのプログラムコードを記録した記憶媒体を、システム或いは装置に供給し、そのシステム或いは装置のコンピュータ（又はＣＰＵやＭＰＵなど）が記憶媒体に格納されたプログラムコードを読み出して実行することによっても達成される。
【００５５】
この場合、記憶媒体から読み出されたプログラムコード自体が上記実施の形態の機能を実現することになり、そのプログラムコード及び該プログラムコードを記憶した記憶媒体は本発明を構成することになる。
【００５６】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭなどを用いることができる。又は、プログラムコードをネットワークを介してダウンロードしてもよい。
【００５７】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）などが実際の処理の一部又は全部を行い、その処理によって前述した実施の形態の機能が実現される場合も含まれる。
【００５８】
更に、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部又は全部を行い、その処理によって前述した実施の形態の機能が実現される場合も含まれる。
【産業上の利用可能性】
【００５９】
本発明の実施の形態に係る再生装置は、所定の記憶媒体上に順次記録された映像データに対応する静止画像を順次表示可能、又は、動画像を順次再生可能な再生装置に適用することができる。
【図面の簡単な説明】
【００６０】
【図１】本発明の実施の形態に係る再生装置の構成を概略的に示すブロック図である。
【図２】図１における磁気記録テープに記録されている映像データのデータ構成を示す図である。
【図３】図２における主映像データと特殊再生用画像データとを説明するためのテーブルである。
【図４】図１の再生装置によって実行される特殊再生処理のフローチャートである。
【図５】図４の特殊再生処理を実行中の再生装置の動作を説明するための図である。
【図６】図１の再生装置によって実行される通常再生移行処理のフローチャートである。
【図７】図６の通常再生移行処理の実行中において表示部の表示画面に表示される画像を説明するための図であり、（ａ）は、ステップＳ８００での表示を、（ｂ）は、ステップＳ８０５での表示を、（ｃ）は、ステップＳ８０７での表示を示す。
【図８】図６のステップＳ８０２における再生装置の動作を説明するための図である。
【符号の説明】
【００６１】
１００  ディジタルビデオカメラ（ＤＶＣ）
１０１  ＭＰＥＧコーデック
１０２  メモリ
１０３  操作部
１０４  ＣＰＵ
１０５  表示部
１０６  磁気記録テープ
２００  映像データ
２２０ａ  主映像データ
２２０ｂ  特殊再生用画像データ
【図１】
2006339995.tif 000003
【図２】
2006339995.tif 000004
【図３】
2006339995.tif 000005
【図４】
2006339995.tif 000006
【図５】
2006339995.tif 000007
【図６】
2006339995.tif 000008
【図７】
2006339995.tif 000009
【図８】
2006339995.tif 000010